(57)【要約】【課題】スロットマシン等に設けられるメダル選別装置において、透明セルロイド板の先端部に複数のＬＥＤを取り付けた器具を使用する新たな不正行為の防止。【解決手段】メダルの投入口に続くメダル通路に、メダル等の物体の通過を検出するセンサがメダルの移動方向に沿って２個設けられ、これら２個のセンサからの情報に基づき、投入口から投入された物体のうち正規のメダルのみを受け入れるように選別するメダル選別装置において、前記２個のセンサのうち一方は、発光部と受光部とがメダル通路を挟んで両側にそれぞれ個別に配置され、発光部からの光を物体が遮って受光部が受光しないときに当該物体を検出する光通過型センサとし、他方は、発光部及び受光部の両方がメダル通路の片側に配置され、発光部からの光を物体が反射して受光部が受光するときに当該物体を検出する光反射型センサとする。【選択図】図１
2005312806.tif 000002
【特許請求の範囲】
【請求項１】
メダルの投入口に続くメダル通路に、メダル等の物体の通過を検出するセンサがメダルの移動方向に沿って２個設けられ、これら２個のセンサからの情報に基づき、投入口から投入された物体のうち正規のメダルのみを受け入れるように選別するメダル選別装置において、前記２個のセンサのうち一方は、発光部と受光部とがメダル通路を挟んで両側にそれぞれ個別に配置され、発光部からの光を物体が遮って受光部が受光しないときに当該物体を検出する光通過型センサとし、他方は、発光部及び受光部の両方がメダル通路の片側に配置され、発光部からの光を物体が反射して受光部が受光するときに当該物体を検出する光反射型センサとしたことを特徴とするスロットマシンのメダル選別装置。
【発明の詳細な説明】
【技術分野】
【０００１】
この発明は、スロットマシン等の遊技機や自動販売機に設けられ、メダル投入口に投入された物体のうち正規のメダルのみを受け入れるように選別するメダル選別装置に関する。
【背景技術】
【０００２】
メダルを使用してゲームを行うスロットマシンは、適正な方法で投入された正規のメダルだけを受け入れるためのメダル選別装置を備えている。一般的なメダル選別装置は、メダルの投入口に続くメダル通路中にメダルの通過を検出する光センサがメダルの移動方向に沿って２個設けられており、これら２個の光センサがメダルを適正な時間間隔で順に検出すると、メダルを受け入れてメダルクレジットを加算するように構成されている。光センサとしては、発光部と受光部とがメダル通路を挟んで両側にそれぞれ個別に配置され、発光部からの光をメダル等の物体が遮って受光部が受光しないときに当該物体を検出する光通過型センサと、発光部及び受光部の両方がメダル通路の片側に配置され、発光部からの光を物体が反射して受光部が受光するときに当該物体を検出する光反射型センサとがあり、従来のメダル選別装置にはいずれかのセンサが使用されていた。
【特許文献１】特開２００１−１７６１１号公報
【発明の開示】
【発明が解決しようとする課題】
【０００３】
上記メダル選別装置を備えたスロットマシンにあっては、セルロイド板等を投入口から挿入して、光センサを誤作動させることにより、メダルを使用せずにゲームを行う不正行為が従来から知られている。この従来からの不正行為への対策は進んできているが、最近では、透明セルロイド板の先端部に複数のＬＥＤを取り付けた器具（図４参照）を使用する新たな不正行為が問題になっている。
【０００４】
新たな不正行為の具体的な方法を以下に示す。すなわち、器具２３を先端側から投入口に挿入してＬＥＤ２１，２２を光センサ１０，１１に対応するように位置させ、その状態で手元の操作部を操作して各ＬＥＤ２１，２２を所定のタイミングで点滅させることにより、光センサ１０，１１を誤作動させるのである。例えば、光透過型センサを使用したメダル選別装置に対しては、ＬＥＤ２１，２２を点灯させた状態で投入口から器具を挿入し、光センサ１０，１１の位置でＬＥＤ２１，２２を消灯することにより、発光部からの光を遮断した状態を作り出す。また、光反射型センサを使用したメダル選別装置に対しては、ＬＥＤ２１，２２を消灯させた状態で投入口から器具を挿入し、光センサ１０，２２の位置でＬＥＤ２１，２２を点灯することにより、発光部からの光をメダルが反射して受光部が受光した状態を作り出す。
【０００５】
このようにＬＥＤの点滅で光センサを誤作動させることにより、短時間で多量のメダルを投入したのと同じ状態を作ることができるのである。ＬＥＤ２１，２２の支持体２０は透明セルロイド板であるため、この器具２３が投入口から長時間挿入されていても、光センサによって異常を検出することはできず、この種の不正行為を防ぐことができなかった。また、最近では発光手段として液晶を用いてよりメダルの通過をリアルに再現しようとするものも出現し、更に巧妙な不正行為も行われるようになってきている。
【０００６】
本発明は、上記のように従来のメダル選別装置では異常の検知が困難である新たな不正行為を防止することを目的としてなされたものであり、当該不正行為に対して有効なメダル選別装置を低コストで提供することを課題としている。
【課題を解決するための手段】
【０００７】
上記課題を解決するために、本発明は次の構成とした。すなわち、本発明にかかるスロットマシンのメダル選別装置は、メダルの投入口に続くメダル通路に、メダル等の物体の通過を検出するセンサがメダルの移動方向に沿って２個設けられ、これら２個のセンサからの情報に基づき、投入口から投入された物体のうち正規のメダルのみを受け入れるように選別するメダル選別装置において、前記２個のセンサのうち一方は、発光部と受光部とがメダル通路を挟んで両側にそれぞれ個別に配置され、発光部からの光を物体が遮って受光部が受光しないときに当該物体を検出する光通過型センサとし、他方は、発光部及び受光部の両方がメダル通路の片側に配置され、発光部からの光を物体が反射して受光部が受光するときに当該物体を検出する光反射型センサとしたことを特徴としている。
【０００８】
投入口に近い方を光透過型センサ、遠い方を光反射型センサとした場合、前記器具をＬＥＤが点灯した状態で挿入すると、投入口に近い方の光透過型センサよりも先に遠い方の光反射型センサが物体を検出するため、異常が検知される。同じセンサ配置で、ＬＥＤを消灯させた器具を挿入すると、先に光透過型センサが物体を検出するが、その状態が一定時間以上継続されるため、異常が検知される。器具を適正速度で移動させながら、両センサに対応するＬＥＤを適正タイミングで点滅させることができれば、理論上では不正行為を成功させることが可能であるが、そのような精密な操作を人間がすることは不可能であるから、現実的には不正行為をほぼ完全に防止することができると言える。投入口に近い方を光反射型センサ、遠い方を光透過型センサとした場合は、両センサが上記と逆の挙動を示すことにより、上記と同様の効果が得られる。
【発明の効果】
【０００９】
本発明にかかるスロットマシンのメダル選別装置は、メダル通路に設けられる２個の光センサの一方は光透過型センサ、他方は光反射型センサとすることにより、透明セルロイド板の先端部に複数のＬＥＤを取り付けた器具を使用する不正行為をほぼ完全に防止できるようになった。また、このメダル選別装置は、既存のメダル選別装置の一方の光透過型センサを光反射型センサに交換するか、又は一方の光反射型センサを光透過型センサに交換するだけで対応できるので、部品点数を増やしたり構成を大幅に変更したりすることなく、低コストで提供できる。
【発明を実施するための最良の形態】
【００１０】
スロットマシンのメダル選別装置に本発明を適用し、透明セルロイド板の先端部に複数のＬＥＤを取り付けた器具を使用する不正行為の防止を図る。
【実施例１】
【００１１】
図１は本発明が適用されたメダル選別装置の一部を省略して表した正面図、図２はＡ−Ａ断面図、図３はＢ−Ｂ断面図である。このメダル選別装置１は、メインプレート２とその前側に適当間隔を開けて設けたサブプレート３との間に、メダル投入口４に続くメダル通路５が形成されている。メダル通路５の底部にあるメダル案内用のレールは、前半部の第一レール６と後半部の第二レール７とからなり、第一レール６はメインプレート２と一体に設けられ、第二レール７は図示しない作動コイルにより前後方向に移動可能に設けられている。
【００１２】
通常時は、第一レール６の延長上に第二レール７があり、メダルＭが両レール６，７に案内されてメダル通路５を移動する。また、ゲーム中、ゲーム精算中、打ち止め時等には、作動コイルに通電出力することにより第二レール７が後方に移動し、メダル投入口４から投入されたメダルＭが第二レール７から外れ落ち、メダル受け皿に返却されるようになる。
【００１３】
第一レール６の上方には、正規のメダルＭよりも大きいメダルの通過を規制するガイドスペーサ８が設けられている。第一レール６とガイドスペーサ８との間でメダルＭが詰った場合は、手動の返却ボタンを操作することによりキャンセル用プレート９が詰ったメダルＭを押し出し、該メダルが第一レール６から外れ落ちるようになっている。また、正規のメダルよりも小さいメダルは自重で後方に倒れ、第一レール６から外れ落ちる。第一レール６から外れ落ちたメダルは、メダル受け皿に返却される。
【００１４】
第二レール７の上方には、メダルＭの通過を検出するための２個の光センサ１０，１１がメダルの移動方向に沿って並んで設けられている。投入口４に近い上流側の光センサ１０は光透過型センサであって、発光部１０ａと受光部１０ｂとがメダル通路５を挟んで両側にそれぞれ個別に配置され、発光部１０ａからの光をメダルＭ等の物体が遮って受光部１０ｂが受光しないとき当該物体を検出する。下流側の光センサ１１は光反射型センサであって、発光部１１ａ及び受光部１１ｂの両方がメダル通路５の片側に配置され、発光部１１ａからの光を物体が反射して受光部１１ｂが受光するときに当該物体を検出する。
【００１５】
これら光センサ１０，１１の検出信号は、スロットマシン本体の制御部１２に送信される。制御部１２では、両センサ１０，１１が物体を検出した順序と、その検出の時間差とから、正常にメダルＭがメダル通路５を移動しているか否かを判定する。正常であると判定した場合は、そのメダルを受け入れて、メダルクレジットを加算する。異常であると判定した場合は、エラー報知部１３に出力して、異常であることを報知する。
【００１６】
次に、図４に示すように、透明セルロイド板２０の先端部に２個のＬＥＤ２１，２２を取り付けた器具２３を使用して不正行為を行う場合について説明する。器具２３をＬＥＤ２１，２２が点灯した状態で挿入すると、投入口に近い方の光透過型センサ１０よりも先に遠い方の光反射型センサ１１が物体を検出するため、異常であると判定される。また、ＬＥＤ２１，２２を消灯させた器具２３を挿入すると、先に光透過型センサ１１が物体を検出するが、その状態が一定時間以上継続されるため、異常であると判定される。器具２３を適正速度で移動させながら、両センサ１０，１１に対応するＬＥＤ２１，２２を適正タイミングで点滅させることができれば、理論上では不正行為を成功させることが可能であるが、そのような精密な操作を人間がすることは不可能であるから、現実的には不正行為をほぼ完全に防止することができると言える。
【実施例２】
【００１７】
図１のおける投入口４に近い上流側の光センサ１０を光反射型センサとし、下流側の光センサ１１を光透過型センサとする。他の構成は実施例１と同じであるので、図面と各部の説明は省略する。
【００１８】
このメダル選別装置に対し前記器具２３を使用して不正行為を行う場合、実施例１とは逆で、以下のようになる。器具２３をＬＥＤ２１，２２が点灯した状態で挿入すると、投入口に近い方の光反射型センサ１１が先に物体を検出するが、その状態が一定時間以上継続されるため、異常であると判定される。また、ＬＥＤ２１，２２を消灯させた器具２３を挿入すると、投入口に近い方の光反射型センサ１０よりも先に遠い方の光透過型センサ１１が物体を検出するため、異常であると判定される。実施例１と同様、現実的には不正行為をほぼ完全に防止することができると言える
【産業上の利用可能性】
【００１９】
この発明のスロットマシンのメダル選別装置は、上記したＬＥＤにより光センサを誤動作させるもののみならず、液晶を用いたものにも対応でき、また、スロットマシン以外にメダル、硬貨、その類似物を使用する他の遊技機や自動販売機にも適用できる。
【図面の簡単な説明】
【００２０】
【図１】メダル選別装置の一部を省略して表示した正面図である。
【図２】図１におけるＡ−Ａ断面図である。
【図３】図１におけるＢ−Ｂ断面図である。
【図４】器具を使用した不正行為を示す図である。
【符号の説明】
【００２１】
Ｍ  メダル
１  メダル選別装置
４  メダル投入口
５  メダル通路
１０，１１  光センサ
１０ａ，１１ａ  発光部
１０ｂ，１１ｂ  受光部
【図１】
2005312806.tif 000003
【図２】
2005312806.tif 000004
【図３】
2005312806.tif 000005
【図４】
2005312806.tif 000006